(57)【要約】  本発明は、シャフト（２）が挿通する電気モータ（１）と、主として炭素繊維をベースとした複合材料から形成され、電気モータ（１）の両側に配置され、かつ、電気モータ（１）のシャフト（２）に直接装着されるブレードホイール（３，４）と、ブレードホイール（３，４）を囲むファンハウジング（５，６）と、一方のファンハウジング（５）の圧力開口（９）を他方のファンハウジング（６）の吸込開口（１１）に接続する中間チャンネル（７）と、を備え、中間チャンネル（７）が、そのベース構造体（８）に組み込まれる高圧ファンに関する。
2005509788.tif 000002
【特許請求の範囲】
【請求項１】
シャフト（２）が挿通する電気モータ（１）と、主として炭素繊維をベースとした複合材料から形成され、電気モータ（１）の両側に配置され、かつ、電気モータのシャフト（２）に直接装着されるブレードホイール（３，４）と、ブレードホイール（３，４）を囲むファンハウジング（５，６）と、一方のファンハウジング（５）の圧力開口（９）を他方のファンハウジング（６）の吸込開口（１１）に接続する中間チャンネル（７）と、を備え、中間チャンネル（７）が、そのベース構造体（８）に組み込まれ、電気モータ（１）およびこれに装着されるブレードホイール（３，４）のほぼ下側に配置される高圧ファンであって、中間チャンネル（７）が、その長さが矩形ファンハウジング（５）の圧力開口（９）の長手側の長さにほぼ対応する、フローを均一化するダイレクトチャンネル部（１４）を、圧力開口（１３）の後方に有し、フロー制御板（１５）が、端部かつフローレベリングチャンネル部（１４）の中間に配置されて、フローの向きをほぼ９０度変えることを特徴とする高圧ファン。
【請求項２】
フロー制御板（１５）後方のほぼ９０度の角度でフローレベリングチャンネル部（１４）に接続されたチャンネル部（１６）が、２パートデイフューザーを備え、後半のデイフューザー部（１６b）は、第２ファンハウジング（６）の吸込開口（１０）に接続された吸込ボックス（１７）にほぼ９０度の角度で接続されていることを特徴とする請求項１に記載の高圧ファン。
【発明の詳細な説明】
【技術分野】
【０００１】
本発明は、シャフトが挿通する電気モータと、主として炭素繊維をベースとした複合材料から形成され、電気モータの両側に配置され、かつ、電気モータのシャフトに直接装着されるブレードホイールと、ブレードホイールを囲むファンハウジングと、一方のファンハウジングの圧力開口を他方のファンハウジングの吸込開口に接続する中間チャンネルと、を備え、中間チャンネルが、そのベース構造体に組み込まれ、電気モータおよびこれに装着されるブレードホイールのほぼ下側に配置される高圧ファンに関する。
【背景技術】
【０００２】
ベース構造体に組み込まれた中間チャンネル構造体を除外したこのタイプのコンパクトな高圧ファンが、フィンランド国特許第１０１５６４号から知られている。ブレードホイールが、主として炭素繊維をベースとした複合材料から形成されるとき、ブレードホイールの重量は、従来のスチールおよびアルミニューム製ブレードホイールに比して、かなり減少する。軽量にも拘らず、ブレードホイールを、従来の材料を使用したときと少なくとも同等の強度に設計することは可能である。ブレードホイールは、軽量であるために、別個の軸受を必要とせず、電気モータの軸受で十分である。回転部材が軽量でありかつ転がり軸受の代わりに、より小型の滑り軸受を使用することができるために、ファンの回転速度をかなり上げることも可能である。同時に、高圧ファンの第１臨界回転速度は、従来の解決手段の場合よりも高いレベルであり、作動全領域において、周波数変換器で実施するのが容易である回転制御の使用を容易化する。
【０００３】
高圧ファンの２つの直列接続されたステップ、すなわち、各ブレードホイールおよびファンハウジングで形成された構成要素が、フィンランド国特許第１０１５６４号の解決手段においては、ファン構造体全体にわたって延びる中間チャンネルによって互いに接続されている。
【０００４】
この公知の高圧ファン構造体は、上述の優れた効果を提供するが、大きなスペースを必要とし、特に高回転速度時に振動を生じる上記中間チャンネルによって問題が依然として生じている。
【０００５】
次にベース構造体に組み込まれた中間チャンネル構造体が、ＳＵ発明者証第１７１０８４９号から知られている。
【発明の概要】
【０００６】
本発明の目的は、フィンランド国特許第１０１５６４号から知られた高圧ファンで使用される中間チャンネル構造体を改良することである。この目的は、中間チャンネルが、その長さが矩形ファンハウジングの圧力開口の長手側の長さにほぼ対応する、フローを均一化するダイレクトチャンネル部を、圧力開口の後方に有し、フロー制御板が、端部かつフローレベリングチャンネル部の中間に配置されて、フローの向きをほぼ９０度変えることを主たる特徴とする本発明の高圧ファンによって達成される。
【０００７】
外形の内部に補助装置のための自由スパースが存在するために、このスペースと補助装置が好適な態様で配置されるとき、中間チャンネルが、フィンランド国特許第１０１５６４号の中間チャンネルを欠く外形の内側に配置される。
【０００８】
本発明の中間チャンネル構造体の１の利点は、使用場所でのスペースとファンを使用場所に搬送するときの搬送費用とを低減するコンパクトで省スペース構造体であることである。特に優れた利点が、ファンを防音エンクロージャで防音する必要があるときに達成され、更に、より低い構造体は、エンクロージャの材料費も低減する。
【０００９】
また、ベースに組込まれた中間チャンネルは、ファン全体の剛性を増し、従って、振動レベルを低減し、運転寿命を延ばす。剛性に加えて、構造体の重心も、より低くなり、これにより、これら２つの部材は、ベース構造体の特定周波数をより高い周波数範囲に一体的にシフトし、換言すれば、より幅広い回転速度での運転を提供する。
【００１０】
つぎに、ファンは、特定臨界周波数のために必然的となるコンクリートベースへの直接装着の代わりに防振材(vibroinsulator)上に装着することもできる。防振材は、ファンを自由に、すなわち、ファンをコンクリートベース上に直接装着するのが通常である建物のグランドフロアに限定されることなく、配置することができる。
【発明を実施するための最良の形態】
【００１１】
次に、添付図面を参照して、本発明の好ましい実施形態についてより詳細に説明する。図１は、ロータシャフト２が挿通し、すなわち、その端部がその両側から突出する電気モータ１を、その駆動源として有する高圧ファンを示す。少なくとも主として炭素繊維をベースとした複合材料から形成された軽量ブレードホイール３および４、すなわち、少なくともブレード３a、４bおよびエンドプレート３b、４bは、上記複合材料から形成され、シャフト２の両端に、別個の軸受なしで、直接装着される。ブレードホイールのハブ構造体４cは、スチールのような他の材料から形成することもできる。この直接装着は、電気モータの軸受だけが上述の全構造体を装着するのに使用されることを意味する。ブレードホイール３および４は、ファンハウジング５および６で囲まれ、第１ハウジング５の圧力開口９は、中間チャンネル７によって、第２ハウジングの吸込開口１０に接続される。第２ハウジングの圧力開口は、参照番号１１で示され、第１ハウジングの吸込開口は、参照番号１２で示されている。上述のファン構造体全体は、簡単なスチール製ベース構造体８上に配置される。
【００１２】
本発明によれば、中間チャンネル７は、電気モータ１およびこれに配置されたブレードホイール３および４の下側の高圧ファンのベース構造体８に組み込まれている。
【００１３】
図２によれば、中間チャンネル７は、第１ハウジング５の圧力開口９に接続された圧力開口１３の後方に、フローを均一化するダイレクトチャンネル部１４を有し、このチャンネル部の長さは、矩形圧力開口９または１３の長手側の長さにほぼ対応する。
【００１４】
フローの方向に湾曲したフロー制御板１５が、端部かつフローレベリングチャンネル部１４の中間に配置されて、フローの向きをほぼ９０度変える。
【００１５】
フロー制御板１５後方の、フローレベリングチャンネル部１４にほぼ９０度の角度で接続されたチャンネル部１６は、２パートデイフューザーを備え、後半のデイフューザー部１６bは、第２ファンハウジング６の吸込開口１０に接続された吸込ボックス１７にほぼ９０度の角度で接続される。
【００１６】
デイフューザー１６の断面は、そのマウス１６cが吸込ボックス１７の断面に対応するように、吸込ボックス１７に向けて増大する。
【００１７】
本発明の上記説明は、本発明の基本的思想を図示することだけを意図している。当事者は、添付特許請求の範囲内で種々の代替態様で本発明の詳細を実施することができる。
【図面の簡単な説明】
【００１８】
【図１】本発明の高圧ファンの全体図。
【図２】図１のファンの中間チャンネル構造体を示す図。
【図１】
2005509788.tif 000003
【図２】
2005509788.tif 000004
【手続補正書】
【提出日】平成15年11月12日(2003.11.12)
【手続補正１】
【補正対象書類名】特許請求の範囲
【補正対象項目名】全文
【補正方法】変更
【補正の内容】
【特許請求の範囲】
【請求項１】
シャフト（２）が挿通する電気モータ（１）と、主として炭素繊維をベースとした複合材料から形成され、電気モータ（１）の両側に配置され、かつ、電気モータのシャフト（２）に直接装着されるブレードホイール（３，４）と、ブレードホイール（３，４）を囲むファンハウジング（５，６）と、一方のファンハウジング（５）の圧力開口（９）を他方のファンハウジング（６）の吸込開口（１１）に接続する中間チャンネル（７）と、を備え、中間チャンネル（７）が、そのベース構造体（８）に組み込まれ、電気モータ（１）およびこれに装着されるブレードホイール（３，４）のほぼ下側に配置される高圧ファンであって、中間チャンネル（７）が、その長さが矩形ファンハウジング（５）の圧力開口（９）の長手側の長さにほぼ対応する、フローを均一化するストレートチャンネル部（１４）を、圧力開口（１３）の後方に有し、フロー制御板（１５）が、端部かつフローレベリングチャンネル部（１４）の中間に配置されて、フローの向きをほぼ９０度変えることを特徴とする高圧ファン。
【請求項２】
フロー制御板（１５）後方のほぼ９０度の角度でフローレベリングチャンネル部（１４）に接続されたチャンネル部（１６）が、２パートデイフューザーを備え、後半のデイフューザー部（１６b）は、第２ファンハウジング（６）の吸込開口（１０）に接続された吸込ボックス（１７）にほぼ９０度の角度で接続されていることを特徴とする請求項１に記載の高圧ファン。
【手続補正２】
【補正対象書類名】図面
【補正対象項目名】図１
【補正方法】変更
【補正の内容】
【図１】
2005509788.tif 000005
【国際調査報告】
2005509788.tif 000006
2005509788.tif 000007
2005509788.tif 000008